(57)【要約】【課題】本願発明は、表示側ケースが操作側ケースに対して短手方向にスライドするとともに斜めに開けられる電子装置を提供することである。【解決手段】本発明に係る電子装置は、操作側ケースと、前記操作側ケースに貼り合わされる表示側ケースと、前記操作側ケースと前記表示側ケースとの間に取り付けられるスライド機構と、一端は前記スライド機構に回転可能に固定され、他端は回転しながらスライドするように前記操作側ケース内に設置される第一リンク部材と、一端は前記スライド機構に回転可能に固定され、他端は前記操作側ケースに回転可能に固定される第二リンク部材と、を備える。前記第二リンク部材は、その前記操作側ケースに連結する一端を支点として斜めに立ち上がるように回転しながら、前記表示側ケースを支持して、前記表示側ケースを前記操作側ケースに対して傾斜するように持ち上げる。【選択図】図８
2011139424.tif 000002
【特許請求の範囲】
【請求項１】
操作側ケースと、
前記操作側ケースに貼り合わされる表示側ケースと、
前記操作側ケースと前記表示側ケースとの間に取り付けられるスライド機構と、
一端が前記スライド機構に回転可能に固定され、他端が回転しながらスライドするように前記操作側ケース内に設置される第一リンク部材と、
一端が前記スライド機構に回転可能に固定され、他端が前記操作側ケースに回転可能に固定される第二リンク部材と、
を備える電子装置であって、
前記第二リンク部材は、その前記操作側ケースに連結する一端を支点として斜めに立ち上がるように回転しながら、前記表示側ケースを支持して前記表示側ケースを前記操作側ケースに対して傾斜するように持ち上げることを特徴とする電子装置。
【請求項２】
前記第一リンク部材の一端には、前記スライド機構に回転可能に連結する貫通孔が設けられ、
前記第一リンク部材の他端には、前記操作側ケース内に設置される連結軸が設けられることを特徴とする請求項１の記載の電子装置。
【請求項３】
前記操作側ケースには、スライド溝が開設された収容凹溝が設置され、前記連結軸は、回転しながらスライドするように前記スライド溝内に設置されることを特徴とする請求項２に記載の電子装置。
【請求項４】
前記スライド溝の両端に近い箇所には、第一突起及び第二突起が別々に設けられ、
前記第一リンク部材の一端をそれぞれ前記第一突起又は第二突起と前記スライド溝の端壁との間に係止することにより、前記表示側ケースを閉鎖位置又は展開位置に位置決めすることを特徴とする請求項３に記載の電子装置。
【請求項５】
前記収容凹溝の前記スライド溝から離れている一端には、前記第二リンク部材の一端に回転可能に連結するための位置決め軸が設置されることを特徴とする請求項３に記載の電子装置。
【請求項６】
前記第一リンク部材と前記第二リンク部材とは、前記収容凹溝内に回転可能に収納されることを特徴とする請求項３に記載の電子装置。
【請求項７】
前記スライド機構は、固定板と、スライド板と、前記固定板及び前記スライド板を連結する弾性部材と、を含み、
前記固定板は、前記表示側ケースに固定され、前記スライド板は、前記固定板にスライド可能に取り付けられ、
前記スライド板には、第一位置決め部及び第二位置決め部が設置され、前記第一リンク部材の一端は、前記第一位置決め部に固定され、前記第二リンク部材の一端は、前記第二位置決め部に固定されることを特徴とする請求項１に記載の電子装置。
【請求項８】
操作側ケースと、
前記操作側ケースに貼り合わされる表示側ケースと、
一端が前記表示側ケースに回転可能に固定され、他端が回転しながらスライドするように前記操作側ケース内に設置される第一リンク部材と、
一端が前記表示側ケースに回転可能に固定され、他端が前記操作側ケースに回転可能に固定される第二リンク部材と、
を備える電子装置であって、
前記第二リンク部材は、その前記操作側ケースに連結する一端を支点として斜めに立ち上がるように回転しながら、前記表示側ケースを支持して前記表示側ケースを前記操作側ケースに対して傾斜するように持ち上げることを特徴とする電子装置。
【発明の詳細な説明】
【技術分野】
【０００１】
本発明は、電子装置に関し、特に、表示側ケースが操作側ケースに対して傾斜するように持ち上げられるような電子装置に関するものである。
【背景技術】
【０００２】
現在市販されている電子装置は、一般的に、相対的に回転するかまたはスライドできる表示側ケース及び操作側ケースを含む。例えば、スライド式電子装置において、前記表示側ケースを前記操作側ケースに対してスライドして開放させることができる。ところで、最近、通信技術の飛躍的な発展に伴い、電子装置の用途も多様化になり、電子装置を用いたインターネット検索、動映像再生、ＴＶ放送、各種ゲームなどのマルチメディア機能の遂行が可能になりつつある。
【発明の概要】
【発明が解決しようとする課題】
【０００３】
従来のスライド式電子装置において、表示側ケースと操作側ケースとは単に直線的にスライドして開閉するだけなので、スクリーンの視角をキーボードに対して調整できないという欠点がある。その結果、ユーザーは表示された画面を閲覧するために、たびたび自分の視覚角度を調整しなげればならなく、とても不便である。
【０００４】
以上の問題点に鑑みて、本発明は、表示側ケースが操作側ケースに対して短手方向にスライドするとともに、斜めに開けられる電子装置を提供することを目的とする。
【課題を解決するための手段】
【０００５】
前記問題を解決するために、本発明に係る電子装置は、操作側ケースと、前記操作側ケースに貼り合わされる表示側ケースと、前記操作側ケースと前記表示側ケースとの間に取り付けられるスライド機構と、一端が前記スライド機構に回転可能に固定され、他端が回転しながらスライドするように前記操作側ケース内に設置される第一リンク部材と、一端が前記スライド機構に回転可能に固定され、他端が前記操作側ケースに回転可能に固定される第二リンク部材と、を備える。前記第二リンク部材は、その前記操作側ケースに連結する一端を支点として斜めに立ち上がるように回転しながら、前記表示側ケースを支持して、前記表示側ケースを前記操作側ケースに対して傾斜するように持ち上げる。
【０００６】
また、本発明に係る電子装置は、操作側ケースと、前記操作側ケースに貼り合わされる表示側ケースと、一端が前記表示側ケースに回転可能に固定され、他端が回転しながらスライドするように前記操作側ケース内に設置される第一リンク部材と、一端が前記表示側ケースに回転可能に固定され、他端が前記操作側ケースに回転可能に固定される第二リンク部材と、を備える。前記第二リンク部材は、その前記操作側ケースに連結する一端を支点として斜めに立ち上がるように回転しながら、前記表示側ケースを支持して、前記表示側ケースを前記操作側ケースに対して傾斜するように持ち上げる。
【発明の効果】
【０００７】
本発明に係る電子装置の表示側ケースと操作側ケースとの間には、第一リンク部材及び第二リンク部材が設けられている。前記第一リンク部材は、前記操作側ケースに対して回転しながらスライドできる。前記第二リンク部材も立ち上がるように回転でき、且つ前記第一リンク部材と共に前記表示側ケースを支持して、前記表示側ケースを前記操作側ケースに対して傾斜するように持ち上げる。これにより、前記電子装置を卓上に水平に載置しても、ユーザーは、表示された画像をはっきりと見ることができる。
【図面の簡単な説明】
【０００８】
【図１】本発明の実施形態に係る電子装置の立体分解図である。
【図２】図１に示す電子装置を別の視点から見た立体分解図である。
【図３】図１に示す電子装置の操作側ケースのＩＩＩ−ＩＩＩ線に沿う立体断面図である。
【図４】図１に示す電子装置が閉じられた状態での立体斜視図である。
【図５】図４に示す電子装置のＶ−Ｖ線に沿う断面図である。
【図６】図４に示す電子装置が開いた状態での立体斜視図である。
【図７】図６に示す電子装置を反対側から見た立体斜視図である。
【図８】図６に示す電子装置のＶＩＩＩ−ＶＩＩＩ線に沿う断面図である。
【発明を実施するための形態】
【０００９】
図１及び図２に示すように、本発明の実施形態に係る電子装置１００は、操作側ケース１０と、表示側ケース２０と、スライド機構３０と、第一リンク部材４０と、第二リンク部材５０と、を備える。
【００１０】
図３を一緒に参照すると、前記操作側ケース１０は、略矩形であり、その中央部には、前記第一リンク部材４０及び第二リンク部材５０を収納するための縦長い収容凹溝１０４が開設されている。前記収容凹溝１０４の片側の内壁には、前記収容凹溝１０４の延在方向に沿ってスライド溝１０６が開設されており、前記収容凹溝１０４の他側には、前記第二リンク部材５０の一端に回転可能に連結する位置決め軸１０８が設置されている。前記スライド溝１０６の両端に近い箇所には、別々に第一突起１０７及び第二突起１０９が設置されている。前記第一突起１０７及び前記第二突起１０９は、前記第一リンク部材４０の一端を前記スライド溝１０６の両端に止めて、前記電子装置１００を開いた状態又は閉じた状態にさせる。
【００１１】
前記表示側ケース２０の形状とサイズとは、前記操作側ケース１０の形状とサイズとにほぼ一致する。前記表示側ケース２０は、互いに対向して設置される第一表面２０２及び第二表面２０３を含む。前記第一表面２０２には、前記電子装置１００の情報や画像などを表示するための表示パネルが実装されている。前記第二表面２０３の中央部には、前記スライド機構３０を収納するための収容凹所２０５が開設されている。
【００１２】
前記スライド機構３０は、固定板３１、スライド板３３、及び弾性部材３５を含む。前記固定板３１は、前記表示側ケース２０の収容凹所２０５内に固定され、前記固定板３１の両側には、それぞれ１つのガイドレール３１２が設けられている。前記スライド板３３は、ベース部材３３２、第一位置決め部３３３、及び第二位置決め部３３４を備える。前記ベース部材３３２の相対する両側には、前記固定板３１の両側のガイドレール３１２に対応してそれぞれ１つのガイド溝３３６が設けられている。前記ガイドレール３１２と前記ガイド溝３３６とは、互いにスライド可能に組み合せる。前記第一位置決め部３３３及び第二位置決め部３３４は、別々に前記ベース部材３３２の相対する両端に凸設されている。前記第一位置決め部３３３は、凸状を呈し、その頂部には、前記第一リンク部材４０の他端に回転可能に連結される第一固定柱６０を装着するための開口３３３２が設けられている。前記第二位置決め部３３４は、対向して設置される２つの凸板３３４２と、前記２つの凸板３３４２の間に装着され、且つ前記第二リンク部材５０の他端に回転可能に連結される第二固定柱６２と、を含む。
【００１３】
前記弾性部材３５は、略弧状を呈し、ネジ等によって前記固定板３１の固定穴３９或いは前記スライド板３３の固定穴３９内に固定され、第一連結端３５２及び第二連結端３５４を含む。前記弾性部材３５は、線形ばねに限定されるものではなく、圧縮ばね、トーションバネ或いは弾片などであってもよい。前記弾性部材３５は、前記スライド板３３が前記固定板３１上の移動距離を規制し、且つ前記スライド板３３を前記固定板３１に対して異なる位置に位置決めして、前記電子装置１００を完全に開いた状態又は完全に閉じた状態にさせる。
【００１４】
前記第一リンク部材４０の一端には、貫通孔４２が開設されており、前記第一リンク部材４０の他端には、連結軸４４が設置されている。前記第一リンク部材４０は、前記貫通孔４２によって第一位置決め柱６０に回転可能に連結される。前記連結軸４４は、前記スライド溝１０６内に回転しながらスライド可能に設置される。前記第二リンク部材５０の両端には、それぞれ１つの位置決め穴５２が設けられており、前記第二リンク部材５０の一端は、前記第二位置決め柱６２に回転可能に連結され、前記第二リンク部材５０の他端は、前記収容凹溝１０４内の位置決め軸１０８に回転可能に連結される。
【００１５】
以下、図１乃至図３を一緒に参照しながら、本発明の電子装置１００の組立ステップについて詳細に説明する。
【００１６】
まず、前記スライド機構３０の固定板３１を前記表示側ケース２０の収容凹所２０５に装着してから、前記スライド板３３を前記固定板３１にスライド可能に取り付けると、前記スライド板３３は、前記表示側ケース２０に相対してスライドできる。次に、前記第一位置決め柱６０を前記第一リンク部材４０の貫通孔４２に貫通させてから、前記第一リンク部材４０の一端と共に前記第一位置決め柱６０を前記開口３３３２に取り付け、前記第一リンク部材４０の他端の連結軸４４を前記スライド溝１０６に設置する。次に、前記第二位置決め柱６２を前記第二リンク部材５０の一端の位置決め穴５２に貫通させてから、前記第二リンク部材５０の一端と共に前記第二位置決め柱６２を前記第二位置決め部３３４に取り付け、且つ前記第二リンク部材５０の他端の位置決め穴５２を前記位置決め軸１０８に回転可能に被せる。このようにして、前記電子装置１００の組立が完成する。この際、前記表示側ケース２０は、前記第一リンク部材４０及び前記第二リンク部材５０に支持されて、前記操作側ケース１０に対して斜めに開けられる。
【００１７】
図４及び図５に示すように、前記電子装置１００を閉じる場合、前記表示側ケース２０の前記操作側ケース１０に接触していない上端を下方へ押圧すると、前記スライド板３３は、前記固定板３１に対してスライドし、前記表示側ケース２０の前記操作側ケース１０に当接する一端が、前記操作側ケース１０の上面に沿ってスライドして、前記表示側ケース２０は、前記操作側ケース１０と重なり合うようになる。より詳細には、前記第一リンク部材４０は、前記表示側ケース２０に押圧されると、その一端の連結軸４４が前記第二突起１０９から逸脱して前記第一突起１０７に向かって回転しながらスライドし、その貫通孔４２を有する他端が前記第一位置決め部３３３に相対して回転するため、前記第一リンク部材４０と前記収容凹溝１０４の底壁との間の開き角度は益々小さくなり、前記第一リンク部材４０を前記収容凹溝１０４内に完全に収納させるようになる。これと同時に、前記第二リンク部材５０の両端も前記第二位置決め部３３４及び前記位置決め軸１０８に相対して回転して、最終的に前記第二リンク部材５０も前記収容凹溝１０４内に完全に収納される。このように、前記第一リンク部材４０の連結軸４４は、前記第一突起１０７と前記スライド溝１０６の端壁との間に止められ、前記表示側ケース２０は、前記操作側ケース１０上に貼り合わされる。
【００１８】
図６乃至図８を参照すると、前記電子装置１００を開ける場合、前記表示側ケース２０を前記操作側ケース１０の短手方向に沿って推進すると、前記表示側ケース２０は、前記スライド板３３と共に前記固定板３１に対してスライドする。前記スライド板３３が前記固定板３１に対して最大距離を移動すると、前記弾性部材３５は、前記スライド板３３を前記固定板３１に固定して、その移動を制限する。続いて、前記表示側ケース２０を推進すると、前記スライド板３３の第一位置決め部３３３は、前記第一リンク部材４０を連動して、前記連結軸４４を前記第一突起１０７から逸脱させて、前記スライド溝１０６に沿って前記第二突起１０９に向ってスライドさせる。これと同時に、前記第二リンク部材５０は、前記操作側ケース１０に連結する一端を支点として斜めに立ち上がるように回転すると共に、前記第一リンク部材４０と一緒に前記表示側ケース２０を前記操作側ケース１０に対して斜めに支持する。前記第一リンク部材４０の連結軸４４が前記第二突起１０９を滑り越えて、前記第二突起１０９と前記スライド溝１０６の端壁との間に止められる場合、前記表示側ケース２０は、前記操作側ケース１０に対して完全に開けられ、且つ前記表示側ケース２０の一端は、前記操作側ケース１０の上面に当止されて、前記表示側ケース２０を所定の斜度に位置決めする。
【００１９】
本発明に係る電子装置１００の表示側ケース２０と操作側ケース１０との間には、第一リンク部材４０及び第二リンク部材５０が設けられている。前記第一リンク部材４０は、前記操作側ケース１０に対して回転しながらスライドできる。前記第二リンク部材５０も立ち上がるように回転でき、且つ前記第一リンク部材４０と共に前記表示側ケース２０を支持して、前記表示側ケース２０を前記操作側ケース１０に対して傾斜するように持ち上げる。これにより、前記電子装置１００を卓上に水平に載置しても、ユーザーは表示パネル２０４に表示された画像をはっきりと見ることができる。
【００２０】
なお、本発明の電子装置１００において、前記スライド機構３０を省略してもよく、即ち、前記第一リンク部材４０及び第二リンク部材５０の前記スライド機構３０に連結する一端を直接に前記表示側ケース２０に回転可能に固定してもよい。
【００２１】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００２２】
１０        操作側ケース
２０        表示側ケース
３０        スライド機構
３１        固定板
３３        スライド板
３５        弾性部材
３９        固定穴
４０        第一リンク部材
４２        貫通孔
４４        連結軸
５０        第二リンク部材
５２        位置決め穴
６０        第一位置決め柱
６２        第二位置決め柱
１００      電子装置
１０４      収容凹溝
１０６      スライド溝
１０７      第一突起
１０８      位置決め軸
１０９      第二突起
２０２      第一表面
２０３      第二表面
２０４      表示パネル
２０５      収容凹所
３１２      ガイドレール
３３２      ベース部材
３３３      第一位置決め部
３３４      第二位置決め部
３３６      ガイド溝
３５２      第一連結端
３５４      第二連結端
３３３２    開口
３３４２    凸板
【図１】
2011139424.tif 000003
【図２】
2011139424.tif 000004
【図３】
2011139424.tif 000005
【図４】
2011139424.tif 000006
【図５】
2011139424.tif 000007
【図６】
2011139424.tif 000008
【図７】
2011139424.tif 000009
【図８】
2011139424.tif 000010